(57)【要約】【課題】良好な光学性能を有する光学装置及びそれを備えた撮像装置を提供する。【解決手段】本発明の光学装置２０は、第１光学系Ｌ１を保持する第１保持部材５１と、前記第１保持部材５１に設けられた軸６０と、前記第１光学系Ｌ１を該第１光学系Ｌ１の光軸ＯＡ方向に移動可能に前記軸６０を支持する第１支持部材３１Ａと、前記第１支持部材３１Ａと間隔を置いた位置で前記軸６０を移動可能に支持する第２支持部材３１Ｂと、前記第１光学系Ｌ１とは異なる第２光学系Ｌ２を保持するとともに、前記第１支持部材３１Ａと第２支持部材３１Ｂとの間で前記軸６０に対して移動可能に支持された第２保持部材５２と、を備えることを特徴とする。【選択図】図２
2011090260.tif 000002
【特許請求の範囲】
【請求項１】
第１光学系を保持する第１保持部材と、
前記第１保持部材に設けられた軸と、
前記第１光学系を該第１光学系の光軸方向に移動可能に前記軸を支持する第１支持部材と、
前記第１支持部材と間隔を置いた位置で前記軸を移動可能に支持する第２支持部材と、
前記第１光学系とは異なる第２光学系を保持するとともに、前記第１支持部材と第２支持部材との間で前記軸に対して移動可能に支持された第２保持部材と、
を備えることを特徴とする光学装置。
【請求項２】
請求項１に記載の光学装置であって、
前記第２保持部材は、前記軸に対して係合する複数の係合部を有すること、
を特徴とする光学装置。
【請求項３】
請求項１または２に記載の光学装置であって、
前記第１支持部材と前記第２支持部材とを一体的に設けた固定筒をさらに備え、
前記軸は前記固定筒の外周側に前記第１支持部材と第２支持部材とを介して支持されていること、
を特徴とする光学装置。
【請求項４】
請求項３に記載の光学装置であって、
前記第２保持部材は、前記固定筒の内周側に配置されるとともに、前記固定筒に設けられた開口部を介して前記軸に支持されていること、
を特徴とする光学装置。
【請求項５】
請求項１〜４のいずれか１項に記載の光学装置であって、
前記第１保持部材と前記第２保持部材とは、前記軸と係合した状態で移動し、
前記第１支持部材を支点としたときの前記第１保持部材と前記第２保持部材とによって前記軸に加わる力のバランスを調整するための錘が、前記軸に取り付けられていること、
を特徴とする光学装置。
【請求項６】
請求項１〜５のいずれか１項に記載の光学装置と、前記第１光学系による像を撮像する撮像部とを備えた撮像装置。
【発明の詳細な説明】
【技術分野】
【０００１】
本発明は、光学装置及びそれを備えた撮像装置に関するものである。
【背景技術】
【０００２】
従来、第１レンズ群及び第２レンズ群を含む複数のレンズ群を備える光学装置（例えばレンズ鏡筒）がある。このような光学装置において、さらに、像側が固定筒に保持されたガイドバーを備え、そのガイドバーにおける、固定筒に保持された部分よりも被写体側において、第１レンズ群及び第２レンズ群を保持するそれぞれの枠部材が摺動可能に保持されているものがある（例えば、特許文献１参照）。
【先行技術文献】
【特許文献】
【０００３】
【特許文献１】特開２０００−３１４８３３号公報
【発明の概要】
【発明が解決しようとする課題】
【０００４】
しかし、上記光学装置は、像側が固定筒に保持された状態で、被写体側に第１レンズ群と第２レンズ群との２つのレンズ群が、いわゆる片持ち状態で保持されているので、光学装置をその光軸を水平に保持したときに、ガイドバーが被写体側において下方に撓む可能性がある。ガイドバーが撓むと、光学装置の良好な光学性能の確保が困難となる。
【０００５】
本発明の課題は、良好な光学性能を有する光学装置及びそれを備えた撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、第１光学系（Ｌ１）を保持する第１保持部材（５１）と、前記第１保持部材（５１）に設けられた軸（６０）と、前記第１光学系（Ｌ１）を該第１光学系（Ｌ１）の光軸（ＯＡ）方向に移動可能に前記軸（６０）を支持する第１支持部材（３１Ａ）と、前記第１支持部材（３１Ａ）と間隔を置いた位置で前記軸（６０）を移動可能に支持する第２支持部材（３１Ｂ）と、前記第１光学系（Ｌ１）とは異なる第２光学系（Ｌ２）を保持するとともに、前記第１支持部材（３１Ａ）と第２支持部材（３１Ｂ）との間で前記軸（６０）に対して移動可能に支持された第２保持部材（５２）と、を備えることを特徴とする光学装置（２０）である。
請求項２に記載の発明は、請求項１に記載の光学装置（２０）であって、前記第２保持部材（５２）は、前記軸（６０）に対して係合する複数の係合部（５２１）を有すること、を特徴とする光学装置（２０）である。
請求項３に記載の発明は、請求項１または２に記載の光学装置（２０）であって、前記第１支持部材（３１Ａ）と前記第２支持部材（３１Ｂ）とを一体的に設けた固定筒（２２）をさらに備え、前記軸（６０）は前記固定筒（２２）の外周側に前記第１支持部材（３１Ａ）と第２支持部材（３１Ｂ）とを介して支持されていること、を特徴とする光学装置（２０）である。
請求項４に記載の発明は、請求項３に記載の光学装置（２０）であって、前記第２保持部材（５２）は、前記固定筒（２２）の内周側に配置されるとともに、前記固定筒（２２）に設けられた開口部（２２Ｅ）を介して前記軸（６０）に支持されていること、を特徴とする光学装置（２０）である。
請求項５に記載の発明は、請求項１〜４のいずれか１項に記載の光学装置（２０）であって、前記第１保持部材（５１）と前記第２保持部材（５２）とは、前記軸（６０）と係合した状態で移動し、前記第１支持部材（３１Ａ）を支点としたときの前記第１保持部材（５１）と前記第２保持部材（５２）とによって前記軸（６０）に加わる力のバランスを調整するための錘（７０）が、前記軸（６０）に取り付けられていること、を特徴とする光学装置（２０）である。
請求項６に記載の発明は、請求項１〜５のいずれか１項に記載の光学装置（２０）と、前記第１光学系（Ｌ１）による像を撮像する撮像部（１０）とを備えた撮像装置（１）である。
なお、符号を付して説明した構成は、適宜改良してもよく、また、少なくとも一部を他の構成物に代替してもよい。
【発明の効果】
【０００８】
本発明によれば、良好な光学性能を有する光学装置及びそれを備えた撮像装置を提供することができる。
【図面の簡単な説明】
【０００９】
【図１】本発明の第１実施形態を適用したカメラの概略図である。
【図２】レンズ鏡筒の要部拡大断面図である。
【図３】第１レンズ群の変位を説明する概念図である。
【図４】本発明の第２実施形態であるレンズ鏡筒の要部拡大断面図である。
【発明を実施するための形態】
【００１０】
（第１実施形態）
以下、図面等を参照して、本発明の実施形態について説明する。
図１は、本発明の第１実施形態を適用したカメラ１の概略図である。
なお、図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸ軸プラス方向とする。また、正位置において上側に向かう方向をＹ軸プラス方向とする。さらに、正位置において被写体に向かう方向をＺ軸プラス方向とする。このＺ軸方向の被写体に向かうＺ軸プラス方向を前面側（被写体側）、Ｚ軸マイナス方向を背面側（像側、撮影者側）ともいう。
【００１１】
カメラ１は、カメラ本体１０と、レンズ鏡筒２０と、によって構成されている。レンズ鏡筒２０は、撮影光学系を構成する複数のレンズ群（第１レンズ群Ｌ１，第２レンズ群Ｌ２および第３レンズ群Ｌ３）を備えており、カメラ本体１０の被写体側（図１における左側）に着脱可能に装着されるようになっている。これにより、カメラ１は、用途に応じて異なるレンズ鏡筒２０を交換して撮影することができるようになっている。
【００１２】
カメラ本体１０は、クイックリターンミラー１１，ファインダスクリーン１２，ペンタプリズム１３，接眼光学系１４，シャッター１５，撮像素子１６，表示装置１７等を備えている。
【００１３】
クイックリターンミラー１１は、レンズ鏡筒２０を通過した被写体側からの光（被写体光）の光路を、ファインダスクリーン１２に向けて屈曲させるためにカメラ本体１０内に揺動可能に設けられたミラーである。クイックリターンミラー１１は、レリーズ操作に応じて、被写体光の撮像素子１６への入射を妨げない退避位置（図１中に二点鎖線で示す）に移動する。
【００１４】
ファインダスクリーン１２は、クイックリターンミラー１１により反射された被写体像を結像させるスクリーンであり、クイックリターンミラー１１とペンタプリズム１３との間に配置されている。
ペンタプリズム１３は、断面形状が五角形のプリズムであって、カメラ本体１０を横位置に構えた状態の上部に配置されている。ペンタプリズム１３は、ファインダスクリーン１２に結像した像を正立像として接眼光学系１４へと導く。
【００１５】
接眼光学系１４は、ペンタプリズム１３により正立像となった被写体像を、拡大観察するための光学系であり、ペンタプリズム１３の背面側（像側、撮影者側）に配置されている。
シャッター１５は、レリーズ操作に応じて開閉し、撮像素子１６に結像する被写体像光の露光時間を制御する。
【００１６】
撮像素子１６は、撮影光学系によって結像された被写体像を電気信号に変換する、例えば、ＣＣＤ（Ｃｈａｒｇｅ  Ｃｏｕｐｌｅｄ  Ｄｅｖｉｃｅ）である。撮像素子１６は、カメラ本体１０の内側の背面側（図１に示す右側）に、受光面を光軸ＯＡに対して直交させた状態で設けられている。
表示装置１７は、カメラ本体１０の外側の背面側に設けられた液晶等の表示パネルを備えている。表示装置１７は、表示パネルに撮影画像や、露光時間等の撮影に関する情報等を表示する。
【００１７】
そして、カメラ１において、図示しないシャッターボタンが押圧操作（レリーズ操作）されると、クイックリターンミラー１１が、退避位置に移動する。シャッター１５は、レリーズ操作に応じて開閉し、撮像素子１６に被写体像光を所定時間露光させる。撮像素子１６は、被写体像光を電気信号に変換して撮像する。撮像素子１６によって撮像された撮像データは、図示しない記録部に記録される。これによって、撮影が行われる。
【００１８】
つぎに、前述した図１に加えて図２及び図３を参照し、本実施形態のレンズ鏡筒２０について詳細に説明する。図２は、レンズ鏡筒２０の要部拡大断面図である。図３は、第１レンズ群Ｌ１の変位を説明する概念図である。
【００１９】
レンズ鏡筒２０は、円筒状の外筒２１と、外筒２１の内部に配置された円筒状の固定内筒２２と、外筒２１と固定内筒２２の間に配置されたカム筒２３と、を備えている。また、レンズ鏡筒２０は、前面側から順に、第１レンズ群Ｌ１，第２レンズ群Ｌ２および第３レンズ群Ｌ３を備えている。各レンズ群Ｌ１〜Ｌ３は、光軸ＯＡ方向に移動して機能する。
【００２０】
外筒２１と、固定内筒２２とは、共に円筒状であって、背面側の端部で結合されて、相対回転不能に一体化されている。外筒２１と固定内筒２２とが結合された背面側端部には、カメラ本体１０と結合するレンズマウントＬＭが固定されている。
外筒２１の前面側の外周には、ズーム操作環２４が回転可能且つ光軸ＯＡ方向には移動不能に装着されている。
【００２１】
固定内筒２２は、円筒状基部２２Ａの前面に、前面フランジ部２２Ｂがネジ止め固定されて、全体として円筒状に構成されている。固定内筒２２の前後両端には、小径の内周フランジ２２Ｃ，２２Ｄが形成されている。
また、固定内筒２２は、後述する第１レンズ枠５１を保持する第１軸受部３１と第２軸受部３２とを外周に備え、内周側に第３レンズ枠５３を移動可能に支持する内側ガイド４０（第１内側ガイド軸４１，第２内側ガイド軸４２）を備えている。
【００２２】
第１軸受部３１と第２軸受部３２は、固定内筒２２の外周を周方向に二等分する位置（図２における上下）配置されている。
第１軸受部３１は前後一対の軸受３１Ａ，３１Ｂを備え、第２軸受部３２は前後一対の軸受３２Ａ，３２Ｂを備えている。各軸受３１Ａ，３１Ｂ，３２Ａ，３２Ｂは、固定内筒２２の外周面に突設されている。
【００２３】
第１軸受部３１を構成する一方の軸受３１Ａは前面フランジ部２２Ｂの外周面に突設され、他方の軸受３１Ｂは円筒状基部２２Ａの外周面に突設されている。軸受３１Ａと軸受３１Ｂとは、光軸ＯＡ方向に所定の間隔を有して配置されている。軸受３１Ａ，３１Ｂは、光軸ＯＡと平行方向に貫通する軸受孔３１Ｃを備えている。この軸受孔３１Ｃには、後述する第１ガイドバー６１が摺動可能に嵌合する。
【００２４】
第２軸受部３２を構成する一方の軸受３２Ａは前面フランジ部２２Ｂの外周面に突設され、他方の軸受３２Ｂは円筒状基部２２Ａの外周面に突設されている。軸受３２Ａと軸受３２Ｂとは、光軸ＯＡ方向に所定の間隔を有して配置されている。軸受３２Ａ，３２Ｂは、光軸ＯＡと平行に形成された軸受溝３２Ｃを備えている。軸受溝３２Ｃは、外周側（図２における下側）に開放した断面形状がＵ字状の溝である。軸受溝３２Ｃには、後述する第２ガイドバー６２が摺動可能に嵌合する。
【００２５】
内側ガイド４０は、固定内筒２２を周方向に二等分する位置（図２における上下）に設けられた第１内側ガイド軸４１と第２内側ガイド軸４２とから成る。第１内側ガイド軸４１は図２における上側に配置され、第２内側ガイド軸４２は下側に配置されている。
第１内側ガイド軸４１および第２内側ガイド軸４２は、断面形状が所定径の円形の軸であって、固定内筒２２の前後両端に形成された内周フランジ２２Ｃ，２２Ｄの間に、光軸ＯＡと平行に配置されている。
内側ガイド４０は、後述する第３レンズ群Ｌ３を保持する第３レンズ枠５３を支持している。
【００２６】
カム筒２３は、外筒２１と固定内筒２２の間に、外筒２１および固定内筒２２に対して相対回転可能、且つ光軸ＯＡ方向（Ｚ軸方向）に移動不能に設けられている。カム筒２３は、ズーム操作環２４と連結されており、ズーム操作環２４の回転操作によって回転駆動されるようになっている。
【００２７】
第１レンズ群Ｌ１は、円環状の第１レンズ枠５１に保持され、外筒２１の内部の、固定内筒２２の前面側に配置されている。
第１レンズ枠５１は、２本のガイドバー６０（第１ガイドバー６１，第２ガイドバー６２）を備えており、このガイドバー６０を介して固定内筒２２に支持されている。
【００２８】
ガイドバー６０は、断面形状が所定径の円形の軸であって、その一端が第１レンズ枠５１の背面側（像側）に固定され、光軸ＯＡと平行に背面側に延設されている。
第１ガイドバー６１と第２ガイドバー６２とは、光軸ＯＡを挟む対称位置（すなわち１８０°間隔）に配置されている。
【００２９】
図２において上側に位置する第１ガイドバー６１は、固定内筒２２の外周に突設された第１軸受部３１の軸受孔３１Ｃに摺動可能に嵌合している。また、下側に位置する第２ガイドバー６２は、固定内筒２２の外周に突設された第２軸受部３２の軸受溝３２Ｃに摺動可能に嵌合している。
【００３０】
これにより、第１レンズ枠５１（すなわち第１レンズ群Ｌ１）は、光軸ＯＡ回りに回転することなく、固定内筒２２に対して光軸ＯＡ方向（Ｚ軸方向）に所定の範囲で移動可能となっている。なお、図２は、第１レンズ枠５１（すなわち第１レンズ群Ｌ１）が、その移動範囲において最も前面側に位置した状態を実線で示し、最も背面側に位置した状態を二点鎖線で示している。
【００３１】
また、第１レンズ枠５１の外周には、カムフォロア５１Ｆが突設されている。カムフォロア５１Ｆは、カム筒２３に形成されたカム溝２３Ｃに摺動移動可能に嵌合している。
【００３２】
上記のような構成により、第１レンズ枠５１（すなわち第１レンズ群Ｌ１）は、カム筒２３の回転によって光軸ＯＡ方向に移動操作される。前述したように、カム筒２３はズーム操作環２４の回転操作によって回転駆動される。従って、ズーム操作環２４の回転操作によって、第１レンズ群Ｌ１が移動操作される。
【００３３】
第２レンズ群Ｌ２は、円環状の第２レンズ枠５２に保持され、固定内筒２２の前面側内部に配置されている。
第２レンズ枠５２は、光軸ＯＡを挟む対称位置に、ガイド軸受部５２１と、回り止め軸受部５２２とを備えている。ガイド軸受部５２１と回り止め軸受部５２２とは、それぞれ周方向に所定幅で外周側に突出形成されている。
【００３４】
ガイド軸受部５２１は、光軸ＯＡ方向に所定間隔で設けられた一対の部材で、第１ガイドバー６１が摺動可能に嵌合する軸受孔５２１Ａを備えている。
回り止め軸受部５２２は、第２ガイドバー６２が摺動可能に嵌合する軸受溝５２２Ａを備えている。軸受溝５２２Ａは、外周側（図２における下側）に開放している。
【００３５】
第２レンズ枠５２におけるガイド軸受部５２１と回り止め軸受部５２２とは、固定内筒２２に形成された開口部２２Ｅを介して固定内筒２２の外周側に突出している。そして、ガイド軸受部５２１における軸受孔５２１Ａは第１ガイドバー６１に摺動可能に嵌合し、回り止め軸受部５２２における軸受溝５２２Ａは第２ガイドバー６２に摺動可能に嵌合している。
【００３６】
これにより、第２レンズ枠５２（すなわち第２レンズ群Ｌ２）は、第１レンズ枠５１が備えるガイドバー６０（第１ガイドバー６１，第２ガイドバー６２）に支持され、当該ガイドバー６０に案内されて光軸ＯＡ方向に移動可能となっている。
第２レンズ枠５２のガイド軸受部５２１は、固定内筒２２における第１軸受部３１の軸受３１Ａと軸受３１Ｂの間で、第１ガイドバー６１に嵌合している。つまり、第２レンズ枠５２（第２レンズ群Ｌ２）は、軸受３１Ａを挟んで、第１レンズ枠５１（第１レンズ群Ｌ１）とは逆側に位置し、第１ガイドバー６１によって支持されている。
【００３７】
また、図示しないが、ガイド軸受部５２１の外周側にはカムフォロアが突設されており、このカムフォロアがカム筒２３に形成されたカム溝に摺動可能に嵌合している（図４にて図示）。カム筒２３におけるカム溝は、光軸ＯＡと直交する周方向に対して所定の角度を有して形成されている。
【００３８】
上記のような構成により、第２レンズ枠５２（すなわち第２レンズ群Ｌ２）は、カム筒２３の回転によって光軸ＯＡ方向に移動操作される。前述したように、カム筒２３はズーム操作環２４の回転操作によって回転駆動され、第１レンズ枠５１を移動操作する。従って、第１レンズ群Ｌ１と第２レンズ群Ｌ２とは、ズーム操作環２４の回転操作（カム筒２３の回転）によって同期して移動する。
【００３９】
なお、固定内筒２２に形成された開口部２２Ｅは、第２レンズ枠５２（すなわち第２レンズ群Ｌ２）の光軸ＯＡ方向の移動（ガイド軸受部５２１と回り止め軸受部５２２の移動）を妨げない範囲に形成されている。また、ガイド軸受部５２１および回り止め軸受部５２２の、内側ガイド４０と対応する位置に、内側ガイド４０が遊嵌し得る挿通孔５２３が形成されている。
【００４０】
第３レンズ群Ｌ３は、円環状の第３レンズ枠５３に保持され、固定内筒２２の背面側内部に配置されている。
第３レンズ枠５３は、光軸ＯＡを挟む対称位置に、ガイド軸受部５３１と、回り止め軸受部５３２とを備えている。
ガイド軸受部５３１は、光軸ＯＡ方向に所定間隔で設けられた一対の部材に、内側ガイド４０が摺動可能に嵌合する軸受孔５３１Ａを備えている。
【００４１】
回り止め軸受部５３２は、内側ガイド４０の第１内側ガイド軸４１が摺動可能に嵌合する軸受溝５３２Ａを備えている。軸受溝５３２Ａは、外周側（図２における下側）に開放している。
ガイド軸受部５３１における軸受孔５３１Ａは、図２における上側の第１内側ガイド軸４１に嵌合している。また、回り止め軸受部５３２における軸受溝５３２Ａは、図２における下側の第２内側ガイド軸４２に摺動可能に嵌合している。
【００４２】
上記のような構成により、第３レンズ枠５３（すなわち第３レンズ群Ｌ３）は、内側ガイド４０に支持され、当該内側ガイド４０に案内されて光軸ＯＡ方向に移動可能となっている。
この第３レンズ枠５３は、図示しない駆動手段によって移動操作されるようになっている。
【００４３】
ここで、上記構成では、第１レンズ枠５１（第１レンズ群Ｌ１）は、ガイドバー６０（第１ガイドバー６１，第２ガイドバー６２）を介して固定内筒２２に支持されている。そして、第１レンズ枠５１（第１レンズ群Ｌ１）の重量は、専ら第１ガイドバー６１が支持している。つまり、図２において下側に位置する第２ガイドバー６２は、下側に開放する軸受溝３２Ｃに摺動可能に嵌合しているため、図２に示す通常姿勢では、重量を支えるようには機能しない。
【００４４】
このため、第１レンズ枠５１（第１レンズ群Ｌ１）は、第１ガイドバー６１自体の変形（撓み）と、第１ガイドバー６１がその周面とそれを支持する第１軸受部３１における軸受３１Ａの軸受孔３１Ｃとの嵌合隙間分傾くことによって、前面側に（下向きに）変位する可能性がある。特に、第１レンズ枠５１（第１レンズ群Ｌ１）が前面側に突出した状態においてこの可能性は大きい。
【００４５】
本構成におけるレンズ鏡筒２０では、第１ガイドバー６１によって支持される第１レンズ枠５１（第１レンズ群Ｌ１）と第２レンズ枠５２（第２レンズ群Ｌ２）とは、第１軸受部３１の軸受３１Ａを挟んで配置されている。その結果、図３（ａ）に概念的に示すように、軸受３１Ａを支点として第２レンズ枠５２（第２レンズ群Ｌ２）の重量：ＷＬ２が、第１レンズ枠５１（第１レンズ群Ｌ１）の重量：ＷＬ１とバランスするように作用し、図３（ｂ）に示すように第１レンズ枠５１（第１レンズ群Ｌ１）の変位を抑制する。仮に、第１レンズ枠５１（第１レンズ群Ｌ１）の支持構成が同様で、第２レンズ枠５２（第２レンズ群Ｌ２）が第１ガイドバー６１に支持されていない場合を考えると、第１レンズ枠５１（第１レンズ群Ｌ１）は図３（ｃ）に示すように大きく変位する可能性がある。本構成では、このような第１レンズ群Ｌ１の大きな変位を抑制することができ、光学性能の劣化を抑制できる。
【００４６】
（第２実施形態）
つぎに、図４に示す本発明の第２実施形態を説明する。
図４は、本発明の第２実施形態であるレンズ鏡筒２００の要部拡大断面図である。
第２実施形態は、前述した第１実施形態の構成とは、第３レンズ群Ｌ３を備えない点およびバランサ７０を備えた点が異なる。なお、第２実施形態の基本的な構成は前述した第１実施形態と同様であるため、共通部位には同符号を付して説明は省略する。
【００４７】
レンズ鏡筒２００は、第１レンズ群Ｌ１と第２レンズ群Ｌ２とを備えている。
第１レンズ群Ｌ１を保持する第１レンズ枠５１は、２本のガイドバー６０（第１ガイドバー６１，第２ガイドバー６２）を介して固定内筒２２に支持されている。
すなわち、第１ガイドバー６１が、固定内筒２２の外周に突設された第１軸受部３１の軸受孔３１Ｃに摺動可能に嵌合し、これによって第１レンズ枠５１（第１レンズ群Ｌ１）が固定内筒２２に対して光軸ＯＡ方向（Ｚ軸方向に）所定の範囲で移動可能となっている。
【００４８】
第２レンズ群Ｌ２を保持する第２レンズ枠５２は、そのガイド軸受部５２１における軸受孔５２１Ａが第１ガイドバー６１に摺動可能に嵌合して第１ガイドバー６１に支持され、当該ガイドバー６０に案内されて光軸ＯＡ方向に移動可能となっている。
【００４９】
レンズ鏡筒２００は、前述したように、バランサ７０を備えている。
バランサ７０は、第２レンズ枠５２（第２レンズ群Ｌ２）より背面側の、固定内筒２２の内部に配置されている。
バランサ７０は、中央に被写体光を妨げない開口部７１を備える円環状で、所定の重量を有して形成されている。バランサ７０は、その外周側の光軸ＯＡを挟む対称位置（すなわち１８０°間隔）に、ガイド軸受部７２と、回り止め軸受部７３とを備えている。
【００５０】
ガイド軸受部７２は、第１ガイドバー６１が所定の嵌合公差で摺動可能に嵌合する軸受孔７２Ａを備えている。
回り止め軸受部７３は、第２ガイドバー６２が摺動可能に嵌合する軸受溝７３Ａを備えている。軸受溝７３Ａは、外周側（図５における下側）に開放している。
【００５１】
バランサ７０におけるガイド軸受部７２と回り止め軸受部７３とは、固定内筒２２に形成された開口部２２Ｅを介して固定内筒２２の外周側に突出している。そして、ガイド軸受部７２における軸受孔７２Ａは第１ガイドバー６１に摺動可能に嵌合し、回り止め軸受部７３における軸受溝７３Ａは第２ガイドバー６２に摺動可能に嵌合している。
【００５２】
これにより、バランサ７０は、第１レンズ枠５１が備えるガイドバー６０（第１ガイドバー６１，第２ガイドバー６２）に支持され、当該ガイドバー６０に案内されて光軸ＯＡ方向に移動可能となっている。
バランサ７０のガイド軸受部７２は、固定内筒２２における第１軸受部３１の軸受３１Ａと軸受３１Ｂの間で、さらに、第２レンズ枠５２（第２レンズ群Ｌ２）におけるガイド軸受部５２１より背面側で、第１ガイドバー６１に嵌合している。つまり、バランサ７０は、軸受３１Ａを挟んで、第１レンズ枠５１（第１レンズ群Ｌ１）とは逆側に位置し、第１ガイドバー６１によって支持されている。
【００５３】
また、バランサ７０のガイド軸受部７２の外周側には、カムフォロア７４が突設されており、このカムフォロア７４がカム筒２３に形成されたカム溝に摺動可能に嵌合している。カム筒２３におけるカム溝は、第１レンズ枠５１（第１レンズ群Ｌ１）を駆動するカム溝２３Ｃと、前後方向に略対称に形成されている。つまり、第１レンズ枠５１（第１レンズ群Ｌ１）を前方側（後方側）に移動操作するカム筒２３の回転によって、バランサ７０は後方側（前方側）に移動操作されるようになっている。
【００５４】
上記のように構成されたレンズ鏡筒２００は、前述したように、第１レンズ枠５１（第１レンズ群Ｌ１）を前方側（後方側）に移動するカム筒２３の回転によって、バランサ７０は後方側（前方側）に移動される。つまり、第１ガイドバー６１によって支持される第１レンズ枠５１（第１レンズ群Ｌ１）とバランサ７０とが、第１軸受部３１の軸受３１Ａを挟んで配置され、カム筒２３の回転によって互いに逆方向に移動する。これにより、第１レンズ枠５１（第１レンズ群Ｌ１）の軸受３１Ａからの突出量が変化することによるモーメントの変化を、バランサ７０の移動によって相殺することができる。これにより、第１レンズ群Ｌ１の変位をより高い精度で抑制することができる。その結果、光学性能の劣化を抑えることができる。
【００５５】
なお、本構成では、第２レンズ枠５２（第２レンズ群Ｌ２）も第１ガイドバー６１によって支持されて、第１レンズ枠５２に付けられたカムフォロア５３がカム筒２３のカム溝に係合し、カム筒２３の回転によって移動操作されるため、バランサ７０の重量および移動量は、第２レンズ枠５２（第２レンズ群Ｌ２）の重量および移動も加味して設定される。
【００５６】
以上、本実施形態によると、以下の効果を有する。
（１）第１実施形態におけるレンズ鏡筒２０では、第１ガイドバー６１によって支持される第１レンズ枠５１（第１レンズ群Ｌ１）と第２レンズ枠５２（第２レンズ群Ｌ２）とは、第１軸受部３１の軸受３１Ａを挟んで配置されている。これにより、軸受３１Ａを支点として、第１レンズ枠５１（第１レンズ群Ｌ１）と第２レンズ枠５２（第２レンズ群Ｌ２）の重量がバランスするように作用し、第１レンズ枠５１（第１レンズ群Ｌ１）の変位を抑制する。その結果、第１レンズ群Ｌ１の大きな変位を抑制することができ、光学性能の劣化を抑制できる。
【００５７】
（２）第２実施形態におけるレンズ鏡筒２００では、第１ガイドバー６１によって支持される第１レンズ枠５１（第１レンズ群Ｌ１）とバランサ７０とが、第１軸受部３１の軸受３１Ａを挟んで配置され、カム筒２３の回転によって互いに逆方向に移動する。これにより、第１レンズ枠５１（第１レンズ群Ｌ１）の軸受３１Ａからの突出量の変化によるモーメントの変化を、バランサ７０の移動によって相殺することができる。これにより、第１レンズ群Ｌ１の変位をより高い精度で抑制することができる。その結果、光学性能の劣化を抑えることができる。
【００５８】
（変形形態）
以上、説明した実施形態に限定されることなく、以下に示すような種々の変形や変更が可能であり、それらも本発明の範囲内である。
（１）上記実施形態では、ガイドバー６０（第１ガイドバー６１および第２ガイドバー６２）が、固定内筒２２の外周側に配置された構成を例示した。しかし、ガイドバー６０は、固定内筒２２の内周側に配置した構成であってもよい。
（２）上記実施形態では、レンズ鏡筒２０とカメラ本体１０とが着脱可能な例について説明したが、本発明はこれに限定されず、レンズ鏡筒とカメラ本体とは一体であっても良い。
【００５９】
なお、実施形態及び変形形態は、適宜組み合わせて用いることもできるが、詳細な説明は省略する。また、本発明は以上説明した実施形態によって限定されることはない。
【符号の説明】
【００６０】
１：カメラ、１０：カメラ本体、１６：撮像素子、２０：レンズ鏡筒、２２：固定内筒、３１：第１軸受部、３１Ａ：軸受、３１Ｂ：軸受、５１：第１レンズ枠、５２：第２レンズ枠、６０：ガイドバー、６１：第１ガイドバー、２００：レンズ鏡筒、７０：バランサ、Ｌ１：第１レンズ群、Ｌ２：第２レンズ群、Ｌ３：第３レンズ群
【図１】
2011090260.tif 000003
【図２】
2011090260.tif 000004
【図３】
2011090260.tif 000005
【図４】
2011090260.tif 000006